(57)【特許請求の範囲】
【請求項１】
通信手段と、記憶手段と、表示手段と、制御手段を備えた表示装置であって、
通信手段は、管理サーバーに割り当てられたサーバー通信識別子を記憶し、公衆無線通信網を介して管理サーバーと通信可能とし、
記憶手段は、当該表示装置に割り当てられた装置通信識別子と、未開局／開局済みを区別するフラグと、運用プログラムを格納し、
運用プログラムは、表示対象情報と、表示スケジュール情報を含み、
表示対象情報は、少なくとも初期状態として、開局処理案内情報と、通信条件整備案内情報を含み、
開局処理案内情報は、開局手続の進め方を利用者に知らせる案内メッセージの情報を含み、
通信条件整備案内情報は、通信条件を整備する作業方法を説明するメッセージの情報を含み、
表示手段は、制御手段の制御により画像を表示し、
制御手段は、当該表示装置に電源が投入された際、前記フラグが未開局である場合、通信手段により管理サーバーにアクセスさせ、アクセス成功の際には記憶手段に格納された装置通信識別子を管理サーバーに送信するとともに開局処理案内情報を表示手段に表示させ、アクセス失敗の際には通信条件整備案内情報を表示手段に表示させ、
制御手段は、管理サーバーと所定の通信を行った際、前記フラグを開局済みに設定し、
制御手段は、管理サーバーから受信した更新情報に基づいて記憶手段に格納された運用プログラムの内容を更新し、
制御手段は、記憶手段に格納された表示スケジュール情報に基づいて、表示対象情報を記憶手段から抽出して表示手段に画像を表示させる
表示装置。
【請求項２】
制御手段は、記憶手段に格納された表示スケジュール情報に基づいて、表示休止期間には当該表示装置を省電力モードとして待機させる
請求項１に記載の表示装置。
【請求項３】
通信手段・記憶手段・表示手段・制御手段は偏平な装置ハウジングに実装され、当該装置ハウジングの片面に表示手段の画面が配設されるとともに、当該装置ハウジングにつながる商用電源コードが外側に配線される
請求項１に記載の表示装置。
【請求項４】
通信手段は、装置ハウジングの背面に位置調節可能に配設され、装置ハウジングとケーブルで接続されている
請求項１に記載の表示装置。
【請求項５】
公衆無線通信網はＰＨＳであり、記憶手段に格納された装置通信識別子はＰＨＳのＰＳＩＤである
請求項１〜４のいずれかに記載の表示装置。
【発明の詳細な説明】
【技術分野】
【０００１】
この発明は、店頭に設置される電子看板の用途に適した表示装置に関し、とくに、公衆無線通信網を介して管理サーバーによりプログラムされる表示装置に関する。なお、この発明に類似した表示装置ネットワークシステムは、最近、デジタルサイネージシステムと称されるようになってきた。
【背景技術】
【０００２】
都会の繁華街では、近年、ＬＥＤディスプレイを用いた多種多様な電子看板を頻繁に目にするようになった。テレビ放送のような充実したフルカラーの動画を映し出している大画面の電子看板や、「営業中」などの文字メッセージを中心としたモノクロまたはマルチカラーの単純な画像を表示する小型の電子看板など、さまざまである。
【０００３】
特許第３９５７８４３号公報、特開２００２−４９３５６号公報、特開２００３−２０２８４９号公報には、この種の電子看板を設置して運用する店舗側の担当者（現場の運用者）にとっての使い勝手を向上させる発明が開示されている。
【発明の開示】
【０００４】
この発明の目的は、つぎのように機能する使い勝手のよい表示装置を提供することにある。現場の運用者が、購入した表示装置を店頭などに設置して電源を入れる。それだけでＰＨＳ等の公衆無線通信網を介して表示装置が自動的に管理サーバーと通信し、管理サーバーが当該表示装置の装置通信識別子を認識する。管理サーバーは、当該表示装置向けとして作成された運用プログラムを送信し、当該表示装置がこれを受け取って記憶手段に蔵置する。表示装置は、その運用プログラム中の表示スケジュールに基づいて、運用プログラム中の表示対象情報を逐次表示する自動処理を進行させる。つまり、表示装置を購入した人がまったく手間いらずに表示装置の運用を開始できるようにするのである。
【０００５】
上記のように機能するこの発明の表示装置は、分説すると、つぎの事項（１）〜（10）により特定されるものである。  
（１）通信手段と、記憶手段と、表示手段と、制御手段を備えた表示装置であること
（２）通信手段は、管理サーバーに割り当てられたサーバー通信識別子を記憶し、公衆無線通信網を介して管理サーバーと通信可能とすること
（３）記憶手段は、当該表示装置に割り当てられた装置通信識別子と、未開局／開局済みを区別するフラグと、運用プログラムを格納すること
（４）運用プログラムは、表示対象情報と、表示スケジュール情報を含み、
（５）表示対象情報は、少なくとも初期状態として、開局処理案内情報と、通信条件整備案内情報を含むこと
（６）表示手段は、制御手段の制御により画像を表示こと
（７）制御手段は、当該表示装置に電源が投入された際、前記フラグが未開局である場合、通信手段により管理サーバーにアクセスさせ、アクセス成功の際には記憶手段に格納された装置通信識別子を管理サーバーに送信するとともに開局処理案内情報を表示手段に表示させ、アクセス失敗の際には通信条件整備案内情報を表示手段に表示させること
（８）制御手段は、管理サーバーと所定の通信を行った際、前記フラグを開局済みに設定すること
（９）制御手段は、管理サーバーから受信した更新情報に基づいて記憶手段に格納された運用プログラムの内容を更新すること
（10）制御手段は、記憶手段に格納された表示スケジュール情報に基づいて、表示対象情報を記憶手段から抽出して表示手段に画像を表示させること
【発明を実施するための最良の形態】
【０００６】
＝＝＝表示装置１とＰＨＳ網２と管理サーバー５＝＝＝
図１はこの発明に係る表示装置ネットワークシステムの概要を示している。表示装置１は公衆無線通信網であるＰＨＳ網２に無線接続可能である。この表示装置ネットワークシステム用の通信基幹システムとして、ＰＨＳ網２にはＰＨＳ通信事業者が提供する通信制御装置３とゲートウエイ装置４が接続されており、表示装置ネットワークシステムの管理サーバー５とゲートウエイ装置４が専用回線やＶＰＮで接続されている。
【０００７】
各表示装置１にはＰＨＳ通信端末の識別子であるＰＳＩＤが割り当てられている。当該表示装置ネットワークシステムの事業者（出願人に相当する）が１０万台の表示装置１を製造販売予定であり、その１０万台の表示装置１に設定すべき１０万個のＰＳＩＤがすでに割り当てられているものとする。通信制御装置３の記憶装置には、その１０万個のＰＳＩＤのリストが格納されている。
【０００８】
表示装置１は、これを購入した利用者により店頭に設置されて電子看板として運用される。その設置状態において、表示装置１のＰＨＳ通信モジュールはＰＨＳ網２の基地局と通信可能となっている。
【０００９】
後で詳しく説明するように、表示装置１に電源が投入されたときの初期処理として、表示装置１は自動的に、管理サーバー５を呼び出す発呼電文をＰＨＳ網２に送信する。この発呼電文には、発信端末を示す表示装置１のＰＳＩＤと、通信相手を示す管理サーバー５の通信識別子が含まれている。
【００１０】
通信制御装置３は、設定記憶されている１０万個のＰＳＩＤリスト中に存在するＰＳＩＤを発信端末ＰＳＩＤとする電文パケットがＰＨＳ網２に流れてきたら、その電文パケットをゲートウエイ装置４を介して管理サーバー５に転送する。また、管理サーバー５からゲートウエイ装置４を介して通信制御装置３に、１０万個のＰＳＩＤリスト中に存在するＰＳＩＤを受信端末ＰＳＩＤとする電文パケットが転送されてくると、通信制御装置３はこの電文パケットをＰＨＳ網２に送信し、該当の表示装置１のＰＨＳ通信モジュールが当該電文パケットを受信する。
【００１１】
このようにＰＨＳ網２を介し、表示装置１における電源投入時の自動発呼により表示装置１と管理サーバー５との通信が行われるとともに、管理サーバー５は複数の中から任意の表示装置１を指定した発呼により各表示装置１と個別に随時に通信することができる。こういった通信サービスとしては、たとえば、株式会社ＣＳＣが提供する「ＭｙＡｃｃｅｓｓサービス」を利用することができる。
【００１２】
＝＝＝管理サーバー５とインターネット６と利用者コンピュータ＝＝＝
図１に示すように、管理サーバー５はインターネット６に接続されており、利用者コンピュータとインターネット６を介して通信可能である。利用者コンピュータとは、表示装置１を購入して電子看板として運用している利用者が扱うパソコンや携帯電話機などの情報端末のことである。
【００１３】
利用者は、利用者コンピュータを操作してインターネットに接続し、管理サーバー５のＵＲＬを送信することにより管理サーバー５にアクセスし、利用者ＩＤとパスワードによる利用者認証を受けた上で、管理サーバー５が提供する情報資源の利用が許可される。利用者に提供される情報資源には、利用者所有の表示装置１に対応付けされている個別情報資源と、各表示装置１の購入者が共通に利用できる一般情報資源とがある。
【００１４】
また、後で詳しく説明するように、管理サーバー５は各利用者のメールアドレスを記憶管理しており、所定のプロセスにおいて所要のメールアドレスに宛てた電子メールをインターネット６に送信する動作も行う。その電子メールを、利用者がパソコンや携帯電話機などの情報端末によって受信して読むことになる。
【００１５】
＝＝＝管理サーバー５における情報資源＝＝＝
管理サーバー５のハードウエアや基本ソフトウェアの構成はインターネット上でさまざまに運用されている周知慣用のサーバーコンピュータと変わるところがなく、これのハードウエア構成を図示することには格別な意味がないため省く。管理サーバー５の記憶装置には、図２に図解し以下に説明するような情報資源が格納されている。
【００１６】
（Ａ）装置リスト情報
先に説明した例に従うと、製造販売済みおよび予定の合計１０万台の表示装置１に割り当てられた１０万個のＰＳＩＤと、各ＰＳＩＤに対応付けしたユニークな装置認証番号とを含んだリストである。
【００１７】
（Ｂ）開局装置名簿情報
後で説明する開局手続を済ませた表示装置１の装置通信識別子（ＰＳＩＤなど）と、利用者名簿情報（利用者ＩＤ・パスワード・メールアドレスを少なくとも含む）を対応付けして集約した情報集合体である。利用者名簿情報には、住所・会社名・担当者名・電話番号などの利用者および店舗に関する各種の属性情報を含めるのが望ましく、後で説明するように店舗の地域区分や業種区分などは運用履歴簿と組み合わせてマーケティング情報として有用となる。
【００１８】
（Ｃ）運用プログラム（上記の個別情報資源に相当する）
各表示装置１ごとの運用プログラムは、開局手続を済ませた表示装置１の装置通信識別子に対応付けしてデータベース化されており、個別の表示装置１について、いつ・どのような情報を・どのような形態で・どのような順番で・何回表示するのかなどの運用実体を規定する詳細情報の集合体である。論理的には、表示対象情報の区分と、表示スケジュール情報の区分とを少なくとも含んでおり、複数のファイルに分かれて構成されている。  
表示スケジュール情報の基本は一週間のスケジュールであり、各曜日ごとに２４時間分の時間枠組に表示内容を具体的に設定するようになっている（表示対象情報を特定することと表示時系列を特定する）。１日の中の特定の時間帯で実施する割込スケジュールを設定することもできる。１年あるいは１ヶ月の中の特定の１日にて実施する割込スケジュールを設定することもできる。  
表示対象情報は、表示スケジュール情報中に記述された「表示対象を特定する情報」によって特定される表示すべき実体（表示コンテンツ）のことであり、文字列情報、アニメーション情報、静止画情報、動画情報などが含まれる。また、各表示対象情報ごとに表示形態を制御する情報（スクロール速度、表示輝度、表示サイズ、表示位置、表示時間、表示合成方式など）もこれに含まれる。
【００１９】
（Ｄ）運用履歴簿
各表示装置１ごとの運用履歴簿は、開局手続を済ませた表示装置１の装置通信識別子に対応付けしてデータベース化されており、個別の表示装置１について、実際に表示されたコンテンツを特定する情報とコンテンツ属性情報を実際に表示された日時情報や回数などとともに記録した履歴である。
【００２０】
（Ｅ）コンテンツデータベース（上記の一般情報資源に相当する）
各利用者が自分の運用プログラムに組み込んで活用することのできるさまざまな表示コンテンツを集約したデータベースである。利用者が自分の望みにかなう表示コンテンツを容易に探し出せるように、いろいろな観点で属性分類された構造のデータベースとなっている。
【００２１】
＝＝＝表示装置１の構成＝＝＝
図３は表示装置１の正面外観を、図４は背面外観を示している。図５は表示装置１の電気的構成の概略図である。表示装置１の全体要素が、横長の偏平な長方形の装置ハウジングに実装されている。装置ハウジングの正面の大部分がＬＥＤドットマトリクスにより構成された表示画面１１となっている。装置ハウジングの背面側の肉厚部分に以下に説明する電気回路装置が内蔵されている。
【００２２】
表示装置１はＰＨＳ通信モジュール１２を備えている。ＰＨＳ通信モジュール１２は表示装置１の装置ハウジングとは別体の小さなハウジングに内蔵されていて、図４に示すように、装置ハウジング背面の右上隅の凹部にＰＨＳ通信モジュール１２が収まっている。ただし、この場所にＰＨＳ通信モジュール１２が固定されているのではなく磁石によって吸着位置決めされており、この場所からＰＨＳ通信モジュール１２を取り外して設置位置を変えることができる。ＰＨＳ通信モジュール１２と装置ハウジング内のＣＰＵボード１３は１メートルほどのケーブルで接続されており、このケーブルの長さの範囲内でＰＨＳ通信モジュール１２の設置位置を調整し、ＰＨＳ網２の基地局からの電波をよく受信できるようにする。
【００２３】
なお、この実施例ではＰＨＳ通信モジュール１２のハウジングにアンテナを内蔵しているが、アンテナをハウジングの外に付けて位置調整できるように構成してもよい。また、ＰＨＳ通信モジュール１２を本体の装置ハウジングに内蔵し、ケーブルに接続したアンテナだけを装置ハウジングの外付けにし、基地局の電波をよく受信できるようにアンテナの位置を調節できるようにしてもよい。
【００２４】
ＣＰＵボード１３は表示装置１の中枢となるシングルボードコンピュータであり、大容量のフラッシュメモリ１４が外付けされている。ビデオ処理ボード１５は、ＣＰＵボード１３の制御に従って表示画面１１を構成しているＬＥＤボード１６に画像を表示させる。後で詳しく説明するように、ＣＰＵボード１３はスケジュールに基づいて表示すべき画像データをビデオ処理ボード１５に転送する。この画像データはビデオ処理ボード１５のビデオメモリに格納され、ビデオ処理ボード１５のプロセサによってビデオメモリから読み出されてＬＥＤボード１６に転送され、表示画面１１を構成しているＬＥＤドットマトリクスによる発光画像となる。
【００２５】
図５では省略しているが、表示装置１の装置ハウジングに電源装置が内蔵されており、装置ハウジングから外に配線される電源ケーブルが外部の商用電源コンセントに接続されることで、電源装置に商用電源が入力される。図４に示すように、装置ハウジングの側部に電源スイッチ１７があり、これを手動操作することで表示装置１の電源をオンオフするようになっている。
【００２６】
ＰＨＳ通信モジュール１２内のＲＯＭには、当該モジュール１２に割り当てられているＰＳＩＤ（装置通信識別子に相当する）が記録されているとともに、管理サーバー５に割り当てられているサーバー通信識別子に相当も記録されている。このＰＳＩＤはＣＰＵボード１３のＲＯＭにも記録されている。また、ＣＰＵボード１３に接続されたフラッシュメモリ１４は、この表示装置１のための運用プログラムを構成するファイル群が格納される。
【００２７】
ＣＰＵボード１３のＲＯＭまたはフラッシュメモリ１４に、表示対象情報として開局処理案内情報と通信条件整備案内情報が格納されている。開局処理案内情報は、後述するように開局済みとなって利用者の運用プログラムが当該表示装置１に格納された後は消去されてもかまわない。また、フラッシュメモリ１４には未開局／開局済みを区別するフラグが設定記憶されている。このフラグは、装置出荷時点で未開局に設定されている。
【００２８】
＝＝＝表示装置１の動作＝＝＝
表示装置１の電源ケーブルをコンセントに接続して電源スイッチ１７をオンにすると、ＣＰＵボード１３のプロセサは、図６と図７のフローチャートに概略を示す手順に従って動作する。
【００２９】
電源オンになると、プロセサは未開局／開局済みを区別するフラグをチェックする。この説明手順においては、フラグは未開局であったとする。  
未開局の場合は、ＰＨＳ通信モジュール１２と通信してＰＨＳ網２の基地局電波の受信強度データを取得し、受信強度が基準レベル以上あるか否かを判定する。このときビデオ処理ボード１５を介してＬＥＤボード１６に、利用者に向けて受信強度を知らせるとともに圏内か圏外かを知らせる表示をだすように制御する。以下の説明では、ＣＰＵボード１３のプロセサが行う表示制御について「画面１１に表示させる」と表現する。
【００３０】
圏外である場合は、ＣＰＵボード１３のＲＯＭまたはフラッシュメモリ１４に格納された通信条件整備案内情報に基づいて、ＰＨＳ通信ボード１２の位置を調整してみるようにその作業方法を説明するメッセージを画面１１に表示させる。  
圏内である場合、最初に説明したように、管理サーバー５を呼び出す発呼電文をＰＨＳ網２に送信する。この発呼電文には、発信端末を示す自身の表示装置１のＰＳＩＤと、通信相手を示す管理サーバー５の通信識別子を含めている。
【００３１】
何らかの原因で、発呼に対する管理サーバー５からの応答が確認できないと、そのことを利用者に知らせるメッセージを画面１１に表示させるとともに、所定の再発呼手順に従って発呼を繰り返す。
【００３２】
発呼に応答した管理サーバー５と通信リンクが確立されると、ＣＰＵボード１３のＲＯＭまたはフラッシュメモリ１４に格納された開局処理案内情報に基づいて、管理サーバー５との通信が開始されたことを利用者に知らせるメッセージを画面１１に表示させるとともに、当該表示装置１の購入者がこれから行うべき開局処理の進め方を案内するメッセージを画面１１に表示させる。
【００３３】
以上のように、未開局の場合は、表示装置１から管理サーバー５に対して結果的に未開局であることを通知することになる。ＣＰＵボード１３のプロセサは、開局処理案内情報に基づいて、つぎに利用者が行うべき手続きの進め方を利用者に知らせる案内メッセージを画面１１に表示する。利用者は、表示される案内メッセージに従い、利用者コンピュータ（パソコンや携帯電話機など）を用いてインターネット６を介して管理サーバー５にアクセスする。
【００３４】
＝＝＝利用者コンピュータによる開局手続＝＝＝
利用者は、利用者コンピュータによりインターネット上の管理サーバー５にアクセスすしてホームページを取り寄せる。その表紙ページには開局手続要求ボタンがあり、これをクリックするとメールアドレス記入欄と実行ボタンのあるページになる。これに利用者のメールアドレスを記入して実行ボタンをクリックすると「メールを送るのでお待ちください」との表示がなされる。このあと管理サーバー５から開局手続用のメールが送信され、利用者は利用者コンピュータでこれを受信する。このメールの案内に従って所定記述をクリックすると、管理サーバー５から開局手続ページが送られてくる。
【００３５】
開局手続ページには、装置認証番号・利用者ＩＤ・パスワードの記入欄の他、住所・会社名・担当者名・電話番号などの利用者および店舗に関する各種の属性情報の記入欄がある。これらの事項を記入して管理サーバー５に送信する。
【００３６】
装置認証番号は、購入した表示装置１に割り当てられたユニークな番号であり、表示装置と同梱の保証書などに記入されている番号である。この装置認証番号と、当該表示装置１に割り当てられているＰＳＩＤ（装置通信識別子）との対応関係はこの製品を出荷したメーカーが分かっており、その対応付けの情報が、管理サーバー５の記憶装置に前述した「装置リスト情報」として記録されている。
【００３７】
管理サーバー５は、利用者コンピュータから開局手続ページへの記入情報を受信したならば、受信した装置認証番号が「装置リスト情報」中に存在することを確認した上で、この装置認証番号に対応付けされているＰＳＩＤの表示装置１について、利用者ＩＤ・パスワードやその他の利用者属性情報とを対応付けした新たなレコードを、前述した「開局装置名簿情報」に記入する。これで基本的な開局手続の終了であり、このことが利用者コンピュータに通知される。
【００３８】
＝＝＝利用者コンピュータによる運用プログラムの作成・変更＝＝＝
開局済みの表示装置１の利用者は、利用者コンピュータにより管理サーバー５にアクセスし、利用者ＩＤとパスワードによる認証を行うと、前述したように一般情報資源（コンテンツデータベース）と当該表示装置１専用の個別情報資源（運用プログラム）にアクセスすることを許可される。このログイン以降の通信処理の流れを図８のフローチャートに整理している。
【００３９】
たとえば特許第３９５７８４３号公報に開示されているように、管理サーバー５に蔵置されている運用プログラムは一週間分のスケジュール表の形態で利用者コンピュータのモニタ画面に表示され、スケジュール表の所要の時間枠の内容を記入したり書き換えたりすることで、運用プログラムの内容を任意に編集することができる。開局したばかりの利用者向けとして、コンテンツデータベースには運用プログラム（スケジュール表の形態で利用者が見ることができる）のひな形がいろいろな業種向けにいくつか用意されており、利用者は各ひな形の説明を読んで気に入ったのを選び、そのスケジュール表の一部を書き換えるやり方で自分の運用プログラムを編集することができる。
【００４０】
利用者は、管理サーバー５への１回のログイン機会に運用プログラムの編集作業を完了する必要はなく、何回もログインして気に入った運用プログラムを完成させればよい。これでよいという運用プログラムができたら、利用者コンピュータから管理サーバー５に更新命令を与え、運用プログラム編集プロセスを終了する。
【００４１】
更新命令を受信した管理サーバー５は、前記の利用者ＩＤとパスワードに対応付けされたＰＳＩＤに基づいてＰＨＳ網２より該当の表示装置１を発呼する。発呼に対して表示装置１より応答があると、運用プログラム更新処理を開始する。表示装置１と通信リンクを確立できなかった場合、所定の再発呼手順に従って発呼を繰り返し、それでもダメな場合は利用者にそのことを知らせる電子メールを作成し、前記の利用者ＩＤとパスワードに対応付けされたメールアドレス宛てに送信する。
【００４２】
運用プログラム更新処理は、前述したように、まず表示装置１が保有する運用プログラム（ファイル集合）のファイル識別リストを管理サーバー５に転送させる。管理サーバー５は、受信したファイル識別リストと、データベースに蔵置されている当該表示装置１の運用プログラムのそれとを比較し、更新に関わる新たなファイルを当該表示装置１に送信する。表示装置１は、新たなファイルを受信してフラッシュメモリ１４の運用プログラムを更新し、更新終了したことを管理サーバー５に通知する。
【００４３】
管理サーバー５は、更新終了通知を受け取った際そのことを利用者に知らせる電子メールを作成して前記メールアドレス宛てに送信し、更新終了通知が届かなかった場合には運用プログラムの更新が正常終了していない可能性を利用者に電子メールで知らせる。
【００４４】
表示装置１におけるＣＰＵボード１４のプロセサは、運用プログラム更新処理を行った際に、前記フラグが未開局であれば、これを開局済みに切り替える。これによって、当該表示装置１が実体的に開局済みとなる。
【００４５】
＝＝＝開局済みの表示装置１＝＝＝
前記フラグが開局済みとなった表示装置１に電源が投入された場合、ＣＰＵボード１３のプロセサは、図６の最初のステップから図７のルーチンに進み、ＰＨＳ通信モジュール１２と通信してＰＨＳ網２の基地局電波の受信強度データを取得し、受信強度が基準レベル以上あるか否かを判定し、利用者に向けて受信強度を知らせるとともに圏内か圏外かを知らせる表示を表示手段により行う。
【００４６】
圏内であった場合、ＰＨＳモジュール１３により管理サーバー５と通信して当該表示装置１のＰＳＩＤとともに当該装置の運用開始を管理サーバー５に通知し、圏外である場合はこの通知処理をスキップする。いずれの場合も、つぎに有効な運用プログラムがフラッシュメモリ１４に格納されてるか否かをチェックする。通常の利用状況であれば、開局済みの表示装置１には運用プログラムが格納されている。その場合は、ＣＰＵボード１３のプロセサは、フラッシュメモリ１４の運用プログラムに基づいて動作する通常運用モードとなる。
【００４７】
つまり、運用プログラム中の表示スケジュール情報に基づいて、運用プログラム中の表示対象情報（表示コンテンツ）をフラッシュメモリ１４などから逐次読み出して画面１１に表示させる制御を行う。もちろん、表示スケジュール情報にて表示休止と設定されている時間帯には何も表示させない。表示休止時間が長ければスリープモード（省電力モードで待機させる）としてもよい。
【００４８】
表示装置１が保有する運用プログラムとは、この表示装置１が開局済みですでに運用されている場合には、管理サーバー５の運用プログラムデータベースから当該表示装置１にダウンロードした運用プログラムである。この運用プログラムは、利用者が利用者コンピュータ（パソコンや携帯電話機など）によりインターネット６を介して管理サーバー５にアクセスし、利用者自身の意志により編集した運用プログラムである。  
しかしながら、何らかの原因で開局済みの表示装置１に有効な運用プログラムが存在しない場合があり得る。その場合は、そのことを利用者に伝えるメッセージを表示させる。また圏内と判断して管理サーバー５にアクセスしたものの、管理サーバー５との通信リンクが確立できなかった場合は、そのことを表示させた後、通常運用処理を実行する。
【００４９】
＝＝＝その他の実施形態＝＝＝
（Ａ）以上の実施例では映像出力機能についてのみ説明したが、これはシステムの基本機能の理解促進を意図したためで、多くの電子看板にみられるように、映像出力機能とともに音響出力機能を設けることが望ましい。もちろん出願人が開発したシステムもそのようになっている。表示装置１には音響出力装置が付属しており、運用プログラムには音響コンテンツも含まれている。コンテンツデータベースには種々の音響コンテンツも用意されており、映像表示のスケジュールに音響出力のスケジュールを付帯させて編集できるようになっている。
【００５０】
（Ｂ）管理サーバー５は、各表示装置１と通信する機会に、表示装置１からそれぞれの運用履歴簿の更新情報を集信し、管理サーバー５の運用履歴簿データベースを更新する。そして随時に、運用履歴簿の内容を解析し、業種区分別あるいは地域区分別のコンテンツ利用回数を集計するなど、各種のマーケティングに活用することができる。解析結果は、たとえばコンテンツデータベースにおけるお薦めコンテンツの選出などに反映させることができる。
【００５１】
（Ｃ）装置通信識別子やサーバー通信識別子などは、実施例のＰＳＩＤ等に限定されるものではなく、実施例で説明したような論理処理を行えるものであれば間接的な識別情報であってもかまわないことは当然である。
【図面の簡単な説明】
【００５２】
【図１】一実施例による表示装置ネットワークシステムの概略構成図である。
【図２】一実施例による管理サーバーにおける情報資源の概念図である。
【図３】一実施例による表示装置の正面側斜視図である。
【図４】一実施例による表示装置の背面側斜視図である。
【図５】一実施例による表示装置の電気的構成の概略図である。
【図６】一実施例による表示装置の動作手順を示すフローチャートその１である。
【図７】一実施例による表示装置の動作手順を示すフローチャートその２である。
【図８】一実施例における運用プログラム変更に伴う通信フローチャートである。
【符号の説明】
【００５３】
１  表示装置
２  ＰＨＳ網
３  通信制御装置
４  ゲートウエイ装置
５  管理サーバー
６  インターネット
１１  表示画面
１２  ＰＨＳ通信モジュール
１３  ＣＰＵボード
１４  フラッシュメモリ
１５  ビデオ処理ボード
１６  ＬＥＤボード
１７  電源スイッチ
【図１】
0005184901.tif 000002
【図２】
0005184901.tif 000003
【図３】
0005184901.tif 000004
【図４】
0005184901.tif 000005
【図５】
0005184901.tif 000006
【図６】
0005184901.tif 000007
【図７】
0005184901.tif 000008
【図８】
0005184901.tif 000009